(57)【要約】【課題】色温度の範囲が広く調節される発光素子及び発光素子の蛍光体を提案すること。【解決手段】発光チップで出射される光の少なくとも一部分が通過されて少なくとも他の二つの波長帯の光に変換されて出射されるために蛍光体が提供されて、前記蛍光体はSr3-xSiO5:Eu2+x(0 < x ≦ 1)の組成を持つシルリケート系蛍光体と、 Sr1-xGa2S4:Eu2+x(0.001 ≦ x ≦ 1)の組成を持つ硫化物系蛍光体が含まれて、前記蛍光体によって白色光が具現される発光素子が開示される。
2006527502.tif 000002
【特許請求の範囲】
【請求項１】
発光チップ、及び
前記発光チップから出射される出射光が通過される蛍光体が含まれて、
前記蛍光体には前記出射光によって第1主ピークの光が励起されるシルリケート系蛍光体と、前記出射光によって第2主ピークの光が励起される硫化物系蛍光体が混合する発光素子。
【請求項２】
前記第1主ピークは550 〜 600nm領域であることを特徴とする請求項１に記載の発光素子。
【請求項３】
前記第2主ピークは500 〜 550nm領域であることを特徴とする請求項１に記載の発光素子。
【請求項４】
前記シルリケート系蛍光体は、 Sr3-xSiO5:Eu2+x(0 < x ≦ 1)の化学式を持つことを特徴とする請求項１に記載の発光素子。
【請求項５】
前記硫化物系蛍光体はSr1-xGa2S4:Eu2+x(0.001 ≦ x ≦ 1)の化学式を持つことを特徴とする請求項１に記載の発光素子。
【請求項６】
前記シルリケート系蛍光体と硫化物系蛍光体の割合は1 : 1 〜 1 : 9又は9 : 1 〜 1 : 1であることを特徴とする請求項１に記載の発光素子。
【請求項７】
前記蛍光体の粒子の大きさはd90≦20μm、 5≦d50 ≦10μmであることを特徴とする請求項１に記載の発光素子。
【請求項８】
前記発光チップは青色光を出射することを特徴とする請求項１に記載の発光素子。
【請求項９】
前記蛍光体は前記発光チップの周囲又は上側にモールドされることを特徴とする請求項１に記載の発光素子。
【請求項１０】
前記蛍光体は光透過樹脂に前記蛍光体が混入されて製作されることを特徴とする請求項１に記載の発光素子。
【請求項１１】
前記樹脂はエポックの時樹脂又はシリコン樹脂であることを特徴とする請求項１０に記載の発光素子。
【請求項１２】
前記シルリケート蛍光体は黄色系列で、前記硫化物系蛍光体は緑色系列であることを特徴とする請求項１に記載の発光素子。
【請求項１３】
発光チップから発生される光によって励起される
化学式Sr3-xSiO5:Eu2+x(0 < x ≦ 1)であるシルリケート系蛍光体、及び
前記発光チップから発生される光によって励起される
化学式Sr1-xGa2S4:Eu2+x(0.001 ≦ x ≦1)である硫化物系蛍光体が混入される発光素子の蛍光体。
【請求項１４】
基板、
光を発する発光チップ、
前記基板と前記発光チップ間の通電のための連結部、
前記発光チップを取り囲んで前記光が通過される蛍光体、
前記蛍光体に含まれるSr3-xSiO5:Eu2+x(0 < x ≦ 1)化学式のシルリケート系蛍光体、及び
前記蛍光体に含まれるSr1-xGa2S4:Eu2+x(0.001 ≦ x ≦ 1)である硫化物系蛍光体が含まれる発光素子。
【請求項１５】
前記発光素子がトップビュー方式の場合には、前記シルリケート系蛍光体と前記硫化物系蛍光体の割合が1 : 2 〜 1 : 3で製造されることを特徴とする請求項１４に記載の発光素子。
【請求項１６】
前記発光素子がサイドビュー方式の場合には、前記シルリケート系蛍光体と硫化物系蛍光体の割合が1 : 3 〜 1 : 4で製造されることを特徴とする請求項１４に記載の発光素子。
【請求項１７】
リードフレーム、
光を発する発光チップ、
前記リードプレームと前記発光チップ間の通電のための連結部、
前記発光チップを取り囲んでモールディングされ前記光が通過される蛍光体、及び
前記蛍光体にはSr3-xSiO5:Eu2+x(0 < x ≦ 1)の組成を持つシルリケ-ト系蛍光体とSr1-xGa2S4:Eu2+x(0.001 ≦ x ≦ 1)である硫化物系蛍光体が含まれる発光素子。
【請求項１８】
発光チップ、及び
前記発光チップから出射される出射光が通過される樹脂材ベースの蛍光体が 含まれて、
前記蛍光体には前記出射光によって第1主ピークの光が励起されるシルリケート系黄色蛍光体と、前記出射光によって第2主ピークの光が励起される硫化物系緑色蛍光体が混合しているし、 
前記緑色蛍光体と黄色蛍光体の混合割合は1 : 2 〜 1 : 5の範囲内に置かれる発光素子。
【請求項１９】
白色光が出射されるために、 
前記ベース備蛍光体の割合は15 〜 30 wt%であることを特徴とする請求項１８に記載の発光素子。
【請求項２０】
青白色光(bluish white)が出射されるために、 
前記ベース備蛍光体の割合は5 〜 15 wt%であることを特徴とする請求項１８に記載の発光素子。
【発明の詳細な説明】
【技術分野】
【０００１】
本発明は発光素子及び発光素子の蛍光体に関することで、詳細に説明すると黄色蛍光体と硫化物系蛍光体が混合した混合蛍光体及び前記混合蛍光体を利用して白色光が発光される白色発光素子に関することである。
【背景技術】
【０００２】
一般的な窒化ガリウム(GaN)係白色発光素子の作り方は、単一チップ形態の方法として青色発光素子やUV発光素子上に蛍光体層をより形成して白色発光素子を得る方法と、マルチチップ形態で二つ以上の発光素子を互いに組み合わせて白色発光素子を得る二つの方法で大きく分けられる。そして、前記白色発光素子は白色発光ダイオードに例示されることができることや、これに制限されることはない。
【０００３】
一方、マルチチップ形態で白色発光素子を具現する代表的な方法はRGB三つの発光素子を組み合わせて製作することに遂行される。しかし、このようなマルチチップ形態の発光素子はそれぞれのチップごとに作動電圧が不均一な問題点、周辺温度によってそれぞれのチップの出力が変化し色座標が変わるなどの問題点がある。前記のような問題点によって、前記マルチチップ形態は白色発光素子の具現よりは回路構成を通じて各色の発光素子を個別的に制御することで、多様な色相の演出を要する特殊照明の目的に適応して、白色発光素子に適用される方法では適応しない。
【０００４】
前記する理由によって白色発光素子の具現方法では比較的製作が容易で効率が優秀なバイナリーシステム(binary system)が代表的に利用されている。前記バイナリーシステムは、青色発光素子と前記青色発光素子によって励起されて黄色を発光する蛍光体層が組み合わされて使われる白色光を発する方式である。
【０００５】
前記バイナリーシステムを詳細に説明すれば、青色発光素子を励起光源に使用して、フィトリュ3價イオンであるCe3+を活性剤で利用するイットリウムアルミニウムガーネット系(YAG:Yttrium Aluminum Garnet)蛍光体、すなわちYAG:Ce蛍光体を前記青色LEDで出射される励起光で励起させる方式で白色光が発光される方式の発光素子である。
【０００６】
又、白色発光素子はその利用分野によって多くの形態のパッケージを使うのに、代表的に携帯電話のバックライトに適用される表面実装型(SMD:Surface Mounting Device)形態であるマイクロ型発光素子と、電光板又は固体表示素子又は画像表示用のバーチカルランプタイプがある。
【０００７】
一方、白色光の特性を分析するのにあって使われる指標として、相関色温度(CCT:Correlated Color Temperature)と演色性指数(CRI:Color Rendering Index)がある。
【０００８】
詳細に説明すると、前記相関色温度(CCT)は物体が可視光線を出しながら輝いている時その色がどんな温度の黒体がコピーする色のように見えるとする時、該当黒体の温度と物体の温度が同じだとみてその温度を意味する。そして、相関色温度が高いほど目が眩しくて緑色を帯びる白色になる。そうすることで、同じ白色光でも色温度が低ければその色がもう少し暖かく感じられて、色温度が高けれ冷たく感じられる。従って、色温度を調節することで多様な色感を要求する特殊照明の特性までも満足させることができる。
【０００９】
従来のYAG:Ce 蛍光体を利用した白色発光素子の場合においては色温度が6000 〜 8000Kに過ぎない状態で固定されているため、前記色温度を調節することで、多様な色感を示すことが不可能な問題点がある。
【００１０】
前記演色性指数(CRI)は太陽光を事物に調査した時とその他人工的に製作した照明を調査した時事物の色が変わる程度を意味して、事物の色が太陽光と同じ時CRI値を100で定義する。すなわち、演色性指数(CRI)は人工照明下で事物の色相が太陽光を照査した時との色相とどのぐらい近接したかを示す指数として0 ~ 100までの数値を持つ。そうすることで、 CRIが100に接近する白色光源であればあるほど太陽光の下で人間の目が認識する事物の色相と別段差がない色相を感じるようになるのである。
【００１１】
現在白熱電球のCRIは80以上で蛍光ランプは75以上なのに比べて、 YAG:Ce蛍光体を利用した白色発光素子の場合にはCRIがおおよそ70 ~ 75程度にとどまっているから、比較的演色性指数の低い問題点がある。
従って、従来のYAG:Ce蛍光体を利用した白色LEDは色温度の幅が狭くて、 演色性指数が多少低い問題点があるため、完璧な白色光を具現するのに問題点になっている。
【発明の開示】
【発明が解決しようとする課題】
【００１２】
本発明は前記した問題点を解決するために提案されることとして、色温度の範囲が広く調節される発光素子及び発光素子の蛍光体を提案することを目的とする。 
【００１３】
又、発光素子の演色性指数が高くなって自然光により近く発光素子が作動されるようにする発光素子及び発光素子の蛍光体を提案することを目的にする。
【００１４】
又、多種の蛍光体が混合して使われるようにすることで、色座票、色温度、演色性指数が使用者の望むように円滑に制御が可能にさせる発光素子及び発光素子の蛍光体を提案することを目的とする。 
【課題を解決するための手段】
【００１５】
前記する目的を果たすための本発明による発光素子は発光チップ、及び前記 発光チップから出射される出射光が通過される蛍光体が含まれて、 前記蛍光体には前記出射光によって第1主ピークの光が励起されるシルリケート系蛍光体と、前記出射光によって第2主ピークの光が励起される硫化物系蛍光体が混合することを特徴とする。
【００１６】
他の側面による本発明の発光素子の蛍光体は発光チップから発生される光によって励起される化学式Sr3-xSiO5:Eu2+x(0 < x ≦ 1)であるシルリケート系蛍光体、及び前記発光チップから発生される光によって励起される化学式Sr1-xGa2S4:Eu2+x(0.001 ≦ x ≦ 1)である硫化物系蛍光体が混入されることを特徴にする。
【００１７】
又、他の側面による本発明の発光素子は基板、光を発する発光チップ、前記基板と前記発光チップ間の通電のための連結部、前記発光チップを取り囲んで前記光が通過される蛍光体、 前記蛍光体に含まれるSr3-xSiO5:Eu2+x(0 < x ≦ 1)化学式のシルリケート系蛍光体、及び前記蛍光体に含まれるSr1-xGa2S4:Eu2+x(0.001 ≦ x ≦ 1)である硫化物系蛍光体が含まれることを特徴とする。
【００１８】
又、他の側面による本発明の発光素子はリードフレーム、光を発する発光チップ、前記リードプレームと前記発光チップ間の通電のための連結部、前記発光チップを取り囲んでモールディングされ前記光が通過される蛍光体、及び前記蛍光体にはSr3-xSiO5:Eu2+x(0 < x ≦1)の組成を持つシルリケート系蛍光体とSr1-xGa2S4:Eu2+x(0.001 ≦ x ≦ 1)である硫化物系蛍光体が含まれる。
【００１９】
又、他の側面による本発明の発光素子は発光チップ、及び前記発光チップから出射される出射光が通過される樹脂材ベースの蛍光体が含まれて、 前記蛍光体には前記出射光によって第1主ピークの光が励起されるシルリケート系黄色蛍光体と、前記出射光によって第2主ピークの光が励起される硫化物系緑色蛍光体が混合しているし、前記緑色蛍光体と黄色蛍光体の混合割合は1 : 2 〜 1 : 5の範囲内に置かれることを特徴とする。
【発明の効果】
【００２０】
本発明によって発光素子の品質がより一層向上する効果を得ることができるし、使用者が望む通りに発光素子の発光状態の制御が可能になる長所がある。
【００２１】
又、より天然色に近い白色の具現が可能になるため、発光素子特に発光ダイオードの使用範囲が広くなる長所を得ることができる。
【発明を実施するための最良の形態】
【００２２】
以下、本発明による蛍光体を利用した白色発光素子を添付された図面を参照して詳細に説明する。
【００２３】
図1は本発明の思想にしたがって表面実装型(SMD)形態に製作された白色発光素子の断面図である。
【００２４】
図1を参照すれば、本発明による表面実装型白色発光素子は陽極及び陰極のリードフレーム(110)と、電圧を印加すれば400 〜 480nm領域に発光スペクトラムの主ピーク(centered emission peak)を持つ光を発生させるInGaNの発光 チップ(130)と、前記リードフレーム(110)である発光チップ(130)の通電のための連結部で作動されるワイヤ(150)と、前記発光素子チップ(130)周囲にモールディングされた光透過性のエポック時樹脂又は光透過性のシリコン樹脂に提供される蛍光体層(170)が含む。
前記蛍光体層(170)には蛍光体が含まれて前記発光チップ(130)で発光される光によって発光チップ(130)とは異なる波長の光が放出されるようにして、結局は使用者が望む、例えば白色光が発光されるようにする。
【００２５】
詳細に説明すると、前記蛍光体層(170)にはSr3-xSiO5:Eu2+x(0 < x ≦ 1)のシルリケート系黄色蛍光体(172)とSr1-xGa2S4:Eu2+x(0.001  ≦ x  ≦ 1)の硫化物系緑色蛍光体(174)が混合している。 
【００２６】
結局、前記蛍光体層(170)は、光透過性のエポック時樹脂又は光透過性のシリコン樹脂をベースにした状態で、シルリケート黄色蛍光体(172)及び硫化物系緑色蛍光体(174)が混合した状態に提供される。そして、前記蛍光体層(170)が前記発光チップ(130)の周囲に蛍光体モールディングされているため、前記発光チップ(130)で発散される光は前記蛍光体(172)(174)を励起して使用者が望む光、例えば白色光に発光されるである。
【００２７】
ここで、前記蛍光体層(170)に混入されるシルリケート系黄色蛍光体(172)と硫化物系緑色蛍光体(174)の混合割合は1 : 1 〜 1 : 9 〜 9 : 1 〜 1 : 1の割合になることができる。 
【００２８】
特に、本発明発光素子がトップビュー(top view)方式で使われる場合には、前記黄色蛍光体と緑色蛍光体の混合の割合が1 : 2 〜 1 : 3にすることが望ましい。そして、前記本発明の発光素子がサイドビュー(side view)方式で使われる場合には、前記黄色蛍光体と緑色蛍光体の混合の割合が1 : 3 〜 1 : 4であることが望ましい。
【００２９】
ここで、前記蛍光体(172)(174)の粒子の大きさはd90≦20μm、 5≦d50 ≦10μmであることが望ましい。前記daの意味は特定メッシュを通じて濾過する時通過率がa%に至ることができる粒子の大きさを意味する。
【００３０】
又、蛍光体が混入される樹脂は光透過性樹脂として例えば、エポック時樹脂又はシリコーン樹脂が使われるのが望ましい。
【００３１】
図2は本発明思想の又他の実施例によるバーチカルランプタイプに製作された発光素子の断面図である。
【００３２】
図2を参照すれば、バーチカルランプタイプの発光素子は一対のリードフレーム(210)と、前記リードフレーム(210)に実装されるInGaN系の発光チップ(230)と、前記リードフレーム(210)と発光チップ(230)を電気的に連結するための連結部に作動されるワイヤ(250)と、前記発光チップ(230)周囲全体を取り囲む蛍光体層(270)と、前記蛍光体層(270)外部の外装材(280)が含まれる。前記蛍光体層(270)は光透過性のエポック時樹脂又は光透過性のシリコン樹脂に所定の蛍光体が混入された状態で、前記発光チップ(230)の外部空間を取り囲んで提供される。そして、前記蛍光体層(270)は樹脂の状態で前記発光チップ(230)の周囲にモールディングされる。
【００３３】
前記蛍光体層(270)には本願実施例と同じで、 Sr3-xSiO5:Eu2+x(0 < x ≦ 1)であるシルリケート系黄色蛍光体(272)と、 Sr1-xGa2S4:Eu2+x(0.001  ≦ x ≦ 1)の硫化物系緑色蛍光体(274)が混入されている。
【００３４】
その外に、 蛍光体層に混入されるシルリケート系黄色蛍光体と硫化物系緑色蛍光体の割合、重量比、及び粒子の大きさは本願実施例で説明されたところと同一なので、それを引用するようにその詳細な説明は略して、以下では前記蛍光体層(270)の作動乃至作用に対して詳細に説明する。
【００３５】
前記蛍光体層(270)は前記発光チップ(230)で発生される光が通過されるようにするために、前記発光チップ(230)を全体的に取り囲んでいる。 
【００３６】
この状態で前記発光チップ(230)に電源が印加されれば、前記発光チップ(230)では波長が400~480nmに至る青色光が発光されて、前記青色光によって前記シルリケート系黄色蛍光体(272)には主ピークの波長が550 〜 600nmの光が励起されて、硫化物系緑色蛍光体(274)には主ピークの波長が500 〜 550nmである光が励起される。
【００３７】
詳細に説明すれば、前記InGaN系の発光チップ(130)(230)では400 〜 480nm波長の青色光が出射された後に、前記蛍光体層(270)を通過するようになる。この時、蛍光体層(270)を通過中に出射光の一部は前記シルリケート系黄色蛍光体(172)(272)及び硫化物系緑色蛍光体(174)(274)を励起させるようになる。そうすることで、前記シルリケート系黄色蛍光体(172)(272)では主ピークの波長が550 〜 600nmである光が出射されて、前記硫化物系緑色蛍光体(174)(274)では主ピークの波長が500 ~ 550nmである光が出射される。勿論、前記蛍光体(172)(272)(174)(274)を通過しない残りの光は発光チップ(230)で出射された青色光がそのまま出射される。
【００３８】
このように、二つの種類の蛍光体が混合している蛍光体層(270)で励起されるそれぞれの光と発光チップ(230)からそのまま出射される光によって、本発明の発光素子の発光スペクトラムは全般的に広い波長帯域の光が発散されることが容易に予想できるはずである。図3は本発明による発光素子の発光スペクトラムが図示されているが、図3を参照すれば、 400 〜 700nmに至る広い波長の光が発光素子で出射されることとみられる。勿論、広い波長の光が出射されればそういう光は白色により近くなるだろうと言うことはより容易に見当がつくはずで、蛍光体(172)(272)(174)(274)の混入割合が調節されれば使用者が望む光の状態が容易に調節されることも容易に見当がつくはずである。
【００３９】
図4は本発明による発光素子の蛍光体層に混入される蛍光体の混入割合を異にする時発光素子で発光される光の発光スペクトラムを示したグラフである。
【００４０】
図4を参照すれば硫化物系緑色蛍光体だけによった発光スペクトラム線図(1)、シルリケート系黄色蛍光体だけによった発光スペクトラム線図(2)、硫化物系緑色蛍光体とシルリケート系黄色蛍光体がそれぞれ3 : 1の割合で混合した場合の発光スペクトラム線図(3)、硫化物系緑色蛍光体とシルリケート系黄色蛍光体がそれぞれ5 : 1の割合で混合した場合の発光スペクトラム線図(4)、硫化物系緑色蛍光体とシルリケート系黄色蛍光体がそれぞれ7 : 1の割合で混合した場合の発光スペクトラム線図(5)がそれぞれ図示されている。ただ、 500nm以下の波長の光は図示されなかったが、青色発光チップ(230)から出射され蛍光体を通さない光が該当することは容易に見当がつくはずである。
【００４１】
このように硫化物系緑色蛍光体とシルリケート系黄色蛍光体の含有割合を変化させることによって、発光素子の出射光の性質が調節されることができるし、出射光の性質を制御して色座標及び色温度、演色性指数の制御が可能になる。故に、消費者が望む方向で光の状態を調節することができる長所がある。
【００４２】
本発明による発光素子はキーパッドのバックライト用の発光素子として使われることができる。 
この時には、発光素子の光が白色(white)である場合には緑色蛍光体と黄色蛍光体は1 : 2 〜 1 : 5で混合して、前記光透過性樹脂に対する蛍光体の含量が15 〜 30 wt%であるのが望ましい。そして、発光素子の光が青白色(bluish white)である場合には、緑色蛍光体と黄色蛍光体は1 : 2 〜 1 : 5で混合して、前記光透過性樹脂に対する蛍光体の含量が 5 〜 10 wt%であるのが望ましい。
【００４３】
又、ここで蛍光体が混入される樹脂はエポック時樹脂又はシリコン樹脂が使われるのが望ましい。
そして、説明されない具体的な条件は図1及び図2に係わる説明がそのまま引用されて製造されることができる。
【産業上利用可能性】
【００４４】
本発明による発光素子及び発光素子の蛍光体によってより天然に近い白色光の具現が可能な長所がある。
【００４５】
又、発光素子で出射される光の色座票及び色温度、演色性指数の制御が可能になることで、使用者の趣味感がより増進される長所がある。
【００４６】
又、本発明は携帯電話のバックライト、ランプ、電燈を代理するエネルギー節約型照明光源で使うことができる実用性がより一層再考される長所がある。
【００４７】
以上本発明の実施例を添付された図面を参照して説明したが、本発明はこれに限定されるのではなく本発明の技術の要旨を脱しないで変更及び修正をしても本発明に含まれることで当業者に自明なはずである。
【図面の簡単な説明】
【００４８】
【図１】本発明の思想にしたがって表面実装型(SMD)形態に製作された白色発光素子の断面図。
【図２】本発明思想の又他の実施例によるバーチカルランプタイプに製作された発光素子の断面図。
【図３】本発明による発光素子の発光スペクトラムを示すグラフ。
【図４】本発明による発光素子の蛍光体層に混入される蛍光体の混入割合を異にする時発光素子で発光される光の発光スペクトラムを示したグラフ。
【図１】
2006527502.tif 000003
【図２】
2006527502.tif 000004
【図３】
2006527502.tif 000005
【図４】
2006527502.tif 000006
【国際調査報告】
2006527502.tif 000007
2006527502.tif 000008